(57)【要約】      （修正有）【課題】被施術者の毛髪を乾かす装置であって、被施術者の毛髪を自然な状態にムラなく乾かし、各種の施術を行った場合でも、施術後の毛髪の仕上がり状態を損なうことなく、短時間で効率よく毛髪を乾かすことのできる装置を提供する。【解決手段】毛髪乾燥装置１は、空気が吹き出す中空のハウジング１１と、ハウジング１１に空気を送る送風機１２と、ハウジング１１を上記被施術者の後背部に固定するための固定具１４とを有する。ハウジング１１には、毛髪に宛がわれる共に、メッシュ状に複数の空気の吹出孔が設けられた板状の吹出部と、中空の内部に連通して外部に開口すると共に、送風機１２の送風口と連結して送風機１２から送られた空気が取り入れられる連結部とが設けられている。【選択図】図１
2017209133.tif 000002
【特許請求の範囲】
【請求項１】
被施術者の毛髪を乾燥させる装置であって、
空気が吹き出す中空のハウジングと、
上記ハウジングに空気を送る送風機と、
上記ハウジングを上記被施術者の後背部に固定するための固定手段と、を有し、
上記ハウジングには、
毛髪に宛がわれる共に、空気の吹出孔がメッシュ状に複数、設けられた板状の吹出部と、
中空の内部に連通して外部に開口すると共に、上記送風機の送風口と連結して上記送風機から送られた空気が取り入れられる連結部と、が設けられている、
ことを特徴とする毛髪乾燥装置。
【請求項２】
上記ハウジングにはさらに、
上記被施術者の後背部に面する箇所に、上記被施術者の後背部に当接する緩衝部、が設けられている、
請求項１記載の毛髪乾燥装置。
【請求項３】
上記ハウジングの連結部と上記送風機の送風口とを連結する伸縮自在な略筒状の連結具、をさらに有する、
請求項１又は２記載の毛髪乾燥装置。
【請求項４】
メッシュ状に通風孔が設けられ、上記吹出部上に取り付けられて上記吹出部と毛髪を挟持する押え板、をさらに有する、
請求項１乃至３いずれかの項に記載の毛髪乾燥装置。
【請求項５】
上記ハウジングにはさらに、
上記吹出部の表面に、上記毛髪が宛がわれる領域を幅方向に並設された複数の領域に仕切る間仕切り片、が設けられている、
請求項１乃至４いずれかの項に記載の毛髪乾燥装置。
【請求項６】
上記ハウジングにはさらに、
上記吹出部の表面の幅方向の両側端部に、上記毛髪が上記吹出部の両側端部から外側へはみ出るのを規制する規制片、が設けられている、
請求項１乃至５いずれかの項に記載の毛髪乾燥装置。
【請求項７】
上記ハウジングの上端部は、上記被施術者の後頭部の毛髪の生え際に沿って略Ｕ字状に形成されている、
請求項１乃至６いずれかの項に記載の毛髪乾燥装置。
【請求項８】
上記ハウジングにはさらに、
上記ハウジングの長さを調整するための長さ調整機構、設けられている、
請求項１乃至７いずれかの項に記載の毛髪乾燥装置。
【請求項９】
上記ハウジング内に、遠赤外線シートが取り付けられている、
請求項１乃至８いずれかの項に記載の毛髪乾燥装置。
【発明の詳細な説明】
【技術分野】
【０００１】
本発明は、被施術者の毛髪を乾かす技術であって、施術後の毛髪の仕上がり状態を損なうことなく乾かす技術に関する。
【背景技術】
【０００２】
美容院や理容室等では、美容師等がハンド式のヘアドライヤーで被施術者の毛髪を乾かすことが多い。しかしながら、パーマ等の施術を行った後に毛髪を乾かす場合、パーマ等の仕上がり状態を損なわないようにするには、空気のあて方などに一定の技量が必要とされる。そのため、一定の技量を有する者が行う必要があるが、特に被施術者が長髪の場合には乾かすのに時間がかかり、その作業中は他の作業を行うことができずに非効率であった。
【０００３】
この点、例えば特許文献１では、被施術者の頭部を覆うことができるフードの後方側に接続された気体供給ユニットから供給される空気や温風や薬剤などが、被施術者の頭髪に対して噴出され、これにより頭髪に各種の処理が可能な頭髪処理装置であって、フードは、被施術者の前頭部から側頭部を経て後頭部へ至る範囲を覆う本体部と、本体部の下方側に延設された襟足部とを有し、このフードは、移動可能な仕切部を有するものであり、この仕切部が移動することにより、上記の襟足部における、仕切部よりも下方部分への、空気、温風、蒸気、霧状の薬剤など、頭髪処理用に調整された気体の流入を制限可能である頭髪処理装置が提案されている。
また、特許文献２では、ドーム型、筒型、球型、および袋伏などの形状よりなり、中空である枕式補助器具に、複数の風穴を開け、枕式補助器具の内側から、または枕式補助器具の一部にもうけられた送風口からハンド式ドライヤーにより風を送り、髪を乾かす枕式ヘアドライヤー補助器具が提案されている。
【０００４】
【特許文献１】特開２００５−１０２８８３号公報
【特許文献２】実開平６−１７６０５号公報
【発明の開示】
【発明が解決しようとする課題】
【０００５】
しかしながら、上記特許文献１記載の頭髪処理装置では、フードによって被施術者の頭部全体が覆われるため、温風が供給されると当該フード内は高温となり、被施術者はそのような高温状態に長時間さらされることになってしまう。
また、上記特許文献２記載のヘアドライヤー補助器具では、当該ヘアドライヤー補助器具の位置が固定されないため、適切な位置からずれたりして乾きムラなどを生じるし、被施術者が寝た状態で行うのでは、髪の仕上がり状態を損なってしまう。
【０００６】
そこで、本発明は、被施術者の毛髪を自然な状態にムラなく乾かすことのできる装置であって、特に施術後の毛髪の仕上がり状態を損なうことなく、短時間で効率よく毛髪を乾かすことのできる装置を提供することを目的とする。
【課題を解決するための手段】
【０００７】
上記目的を達成するため、本発明に係る毛髪乾燥装置は、被施術者の毛髪を乾燥させる装置であって、空気が吹き出す中空のハウジングと、上記ハウジングに空気を送る送風機と、上記ハウジングを上記被施術者の後背部に固定するための固定手段と、を有し、上記ハウジングには、毛髪に宛がわれる共に、空気の吹出孔がメッシュ状に複数、設けられた板状の吹出部と、中空の内部に連通して外部に開口すると共に、上記送風機の送風口と連結して上記送風機から送られた空気が取り入れられる連結部と、が設けられていることを特徴とする。
【０００８】
また、上記ハウジングにはさらに、上記被施術者の後背部に面する箇所に、上記被施術者の後背部に当接する緩衝部、が設けられているものとしてもよい。
【０００９】
また、上記ハウジングの連結部と上記送風機の送風口とを連結する伸縮自在な略筒状の連結具、をさらに有するものとしてもよい。
【００１０】
また、メッシュ状に通風孔が設けられ、上記吹出部上に取り付けられて上記吹出部と毛髪を挟持する押え板、をさらに有するものとしてもよい。
【００１１】
また、上記ハウジングにはさらに、上記吹出部の表面に、上記毛髪が宛がわれる領域を幅方向に並設された複数の領域に仕切る間仕切り、が設けられているものとしてもよい。
【００１２】
また、上記ハウジングにはさらに、上記吹出部の表面の幅方向の両側端部に、上記毛髪が上記吹出部の両側端部から外側へはみ出るのを規制する規制片、が設けられているものとしてもよい。
【００１３】
また、上記ハウジングの上端部は、上記被施術者の後頭部の毛髪の生え際に沿って略Ｕ字状に形成されているものとしてもよい。
【００１４】
また、上記ハウジングにはさらに、上記ハウジングの長さを調整するための長さ調整機構、設けられているものとしてもよい。
【００１５】
また、上記ハウジング内に、遠赤外線シートが取り付けられているものとしてもよい。
【発明の効果】
【００１６】
本発明によれば、被施術者の毛髪を自然な状態にムラなく乾かすことができる。また、各種の施術後の毛髪の仕上がり状態を損なうことなく、短時間で効率よく被施術者の毛髪を乾かすことができる。
【図面の簡単な説明】
【００１７】
【図１】本発明の第一の実施形態に係る毛髪乾燥装置により、被施術者の毛髪を乾かす場合を示した図であって、（ａ）側面図、（ｂ）背面図、である。
【図２】本実施形態に係る毛髪乾燥装置を示した図であって、（ａ）正面側からみた外観斜視図、（ｂ）背面側からみた外観斜視図、である。
【図３】本発明の第二の実施形態に係る毛髪乾燥装置を示した外観斜視図であって、（ａ）押え板を取り付ける前、（ｂ）押え板を取り付けた後、を示す。
【図４】本発明の第三の実施形態に係る毛髪乾燥装置を示した外観斜視図である。
【図５】本発明の第四の実施形態に係る毛髪乾燥装置により、被施術者の毛髪を乾かす場合を示した図であって、（ａ）側面図、（ｂ）背面図、である。
【図６】本発明の第五の実施形態に係る毛髪乾燥装置を示した外観斜視図であって、（ａ）延出部を格納した状態、（ｂ）延出部を延出させた状態、を示す。
【図７】本発明の別の例に係る毛髪乾燥装置を示した外観斜視図である。
【図８】本発明のさらに別の例に係る毛髪乾燥装置を示した分解斜視図である。
【発明を実施するための形態】
【実施例１】
【００１８】
以下、本発明の実施形態に係る毛髪乾燥装置について、図を参照して説明する。
本発明の第一の実施形態に係る毛髪乾燥装置１を図１及び図２に示す。毛髪乾燥装置１は、被施術者の毛髪ないしは頭髪を乾かすための装置であって、特にパーマやカット等、美容又は理容における各種の施術を行った後に、仕上がり状態を損なうことなく乾かすことのできるものである。
【００１９】
この毛髪乾燥装置１は、ハウジング１１、送風機１２、連結具１３、及び固定具１４から構成される。
ハウジング１１は、略直方体の箱型形状からなり、内部は中空で、送風機１２から送られた空気がこのハウジング１１から吹き出して、被施術者の毛髪を乾かす。
【００２０】
このハウジング１１には、吹出部１１１、連結部１１２、及び緩衝部１１３が設けられている。
吹出部１１１は、ハウジング１１の一面側全体を構成しており、空気が吹き出す微小なサイズの吹出孔が複数、メッシュ状に設けられている。この吹出部１１１の表面に被施術者の毛髪が宛がわれると、内部から吹き出す空気によって毛髪が乾かされる。
【００２１】
また、本例では、この吹出部１１１はステンレス等、パーマ等で用いられる薬剤に対する耐腐食性の高い材質によって構成するのが好適であり、これにより、繰り返し使用しても劣化しにくいようになっている。また、ステンレスの熱伝導性によって、吹出部１１１に宛がわれた毛髪の乾燥が促進される。なお、吹出部１１１に限らず、ハウジング１１全体をステンレス等で構成することもできる。
【００２２】
連結部１１２は、中空のハウジング１１内部に連通して外部に開口した部分であり、ハウジング１１の下端に設けられている。この連結部１１２には、一端が送風機１２の送風口と連結する連結具１３の他端が連結する。これにより、ハウジング１１は連結具１３を介して送風機１２と連結し、送風機１２から送られた空気がハウジング１１内に取り入れられる。
【００２３】
緩衝部１１３は、吹出部１１１とは反対側の面であって、被施術者の後背部に面する箇所において、突起して設けられた部分である。この緩衝部１１３は断熱性のゴム等からなり、被施術者の後背部に当接し、ハウジング１１が直接、被施術者の後背部に当接するのを防いでいる。これにより、送風機１２からハウジング１１内に温風が送風された際にハウジング１１が熱くなっても、その熱が被施術者に直接、伝わるのを防ぐことができる。
【００２４】
なお、本例では、緩衝部１１３がハウジング１１の一面側の四隅に設けられているが、その他の箇所に設けることもできる。また、緩衝部１１３は、ハウジング１１の一面側全体を覆うクッションのように構成することもできる。
【００２５】
送風機１２は、ハウジング１１内に空気を送る機器であり、ファンやモータ等を備える。この送風機１２の送風口には、一端がハウジング１１の連結部１１２と連結する連結具１３の他端が連結する。これにより、送風機１２からハウジング１１内に空気が贈られる。
【００２６】
なお、送風機１２は適宜、タイマー機能や温度調節機能、風量調節等を備えるものとしてもよい。
また、送風機１２は、ヒータや除湿又は吸湿機構等を適宜に備えさせることにより、冷風、温風、あるいは除湿された空気などを送り出させることができるのであって、送風機１２から送り出される空気の種類あるいは状態等によって、本発明の実施が限定されることはない。
【００２７】
連結具１３は両端が開口した略筒状の部材である。この連結具１３は、一端がハウジング１１の連結部１１２と連結し、他端が送風機１２の送風口と連結し、送風機１２から送り出された空気は、連結具１３内を通ってハウジング１１内に取り入れられる。
【００２８】
また、連結具１３は、布製あるいは蛇腹構造を単独、あるいは組み合わせて構成されており、これにより伸縮自在になっている。その結果、連結具１３は被施術者の挙動に応じて伸縮等することができ、被施術者の挙動に関わらず、ハウジング１１及び送風機１２との連結状態を維持する。
【００２９】
固定具１４は、ハウジング１１を被施術者の後背部に固定する部材である。この固定具１４は、本例では屈曲した帯型形状からなり、一端がハウジング１１の上端部に取り付けられている。施術時には、この固定具１４が被施術者の肩から胸にかけて覆い被さり、これにより、被施術者がハウジング１１を背負ったようになり、ハウジング１１が被施術者の後背部に固定される。
【００３０】
なお、固定具１４は、被施術者の肩から胸にかけて負担なくフィットするよう、あるいは被施術者の体格に応じて調整できるよう、適宜の伸縮性あるいは可撓性を有するようにするのが好適である。
また、本例における固定具１４は、帯型形状からなるものとしたが、これに限らず、ハウジング１１を被施術者の後背部に固定することができれば、他の形状あるいは構造等によることができる。例えば、リュックサック等のように、一端がハウジング１１の上端部に取り付けられると共に、他端がハウジング１１の下端部に取り付けられた帯型形状として、被施術者がハウジング１１を担ぐような状態で、ハウジング１１が被施術者の後背部に固定されてもよい。また、被施術者にハウジング１１を括り付ける紐型形状であってもよい。
【００３１】
続いて、毛髪乾燥装置１の使用例について説明する。
まず、被施術者の後背部に毛髪乾燥装置１のハウジング１１を配置し、固定具１４によってハウジング１１を被施術者の後背部に固定する。このとき、被施術者の頭から垂れ下がる毛髪を吹出部１１１に宛がう。
なお、ハウジング１１と送風機１２は、連結具１３によって予め連結しておいてもよいし、被施術者の後背部にハウジング１１を固定した後に連結してもよい。
【００３２】
そして、送風機１２を作動させると、空気が送風機１２から連結具１３を介してハウジング１１内に取り入られると共に、吹出部１１１から吹き出す。これにより、吹出部１１１から吹き出した空気が被施術者の毛髪を乾かす。
【００３３】
以上の本実施形態に係る毛髪乾燥装置１によれば、クセや乾きムラを残すようことなく、自然な状態にしっかりと毛髪を乾かすことができる。特に、カットやパーマ等、各種の美容又は理容における施術を行った場合には、施術後の毛髪の仕上がり状態を損なうことがない。
また、人手を使うことなく、被施術者の毛髪を乾かすことができる。
さらに、ハウジング１１に緩衝部１１３が設けられていることで、送風機１２から送風された温風によってハウジング１１が熱くなったとしても、熱が被施術者に直接、伝わることがなく、安全である。
【実施例２】
【００３４】
次に、本発明の第二の実施形態に係る毛髪乾燥装置２を図３に示す。毛髪乾燥装置２は、ハウジング２１の吹出部２１１と押え板２２によって被施術者の毛髪を挟持した状態で毛髪を乾かすことのできる装置である。
この毛髪乾燥装置２は、ハウジング２１、押え板２２、第一の実施形態に係る毛髪乾燥装置１と同様の構成からなる送風機１２（図示省略）、連結具１３、固定具１４（図示省略）から構成される。
【００３５】
ハウジング２１には、吹出部２１１、連結部２１２、緩衝部（図示省略）、及び係止爪２１ａが設けられている。このうち、吹出部２１１、連結部２１２、及び緩衝部は夫々、第一の実施形態における吹出部１１１、連結部１１２、及び緩衝部１１３と同様の構成からなる。
【００３６】
係止爪２１ａは、吹出部２１１の上端部に設けられている。この係止爪２１ａには、ハウジング２１上に押え板２２が被せられた際に、押え板２２の係止孔２２ａが係止する。これにより、ハウジング２１の吹出部２１１上に押え板２２が固定される。
【００３７】
押え板２２は、メッシュ状に通風孔が設けられた板状の部材であり、吹出部２１１上に取り付けられて吹出部２１１との間に毛髪を挟持する。
この押え板２２の上端部には、吹出部２１１に設けられている係止爪２１ａに対応した係止孔２２ａが設けられている。これにより、ハウジング２１の吹出部２１１上に押え板２２が被せられた際に、押え板２２の係止孔２２ａに係止爪２１ａが係止し、ハウジング２１上に押え板２２が固定される。
【００３８】
なお、押え板２２はハウジング２１の吹出部２１１と同様、ステンレス等、パーマ等で用いられる薬剤に対する耐腐食性の高い材質によって構成するのが好適である。
また、吹出部２１１上に押え板２２を固定する手段は、係止爪２１ａと係止孔２２ａに限らず、他の手段あるいは構成によることもできる。例えば、吹出部２１１と押え板２２それぞれに取り付けられたマグネットによって分離可能に一体化することもできるし、吹出部２１１と押え板２２の下端部同士を蝶番によって連結すると共に、上端部に係止手段を設け、開閉自在に構成することもできる。
【００３９】
続いて、毛髪乾燥装置２の使用例を説明する。
まず、上述した第一の実施形態に係る毛髪乾燥装置１と同様にして、被施術者の後背部に毛髪乾燥装置２のハウジング２１を配置し、固定具１４によってハウジング２１を被施術者の後背部に固定する。このとき、被施術者の頭から垂れ下がる毛髪を吹出部２１１に宛がう。
なお、ハウジング２１と送風機１２を連結具１３によって連結するタイミングも同様に、ハウジング２１の被施術者の後背部に固定する前であってもよいし、固定した後であってもよい。
【００４０】
本例ではこの後、ハウジング２１の吹出部２１１上に押え板２２を被せ、吹出部２１１と押え板２２によって被施術者の毛髪を挟持した状態とする。なお、この際、ハウジング２１に設けられている係止爪２１ａに押え板２２の係止孔２２ａを係止させ、ハウジング２１の吹出部２１１上に押え板２２を固定する。
【００４１】
そして、送風機１２を作動させると、空気が送風機１２から連結具１３を介してハウジング２１内に取り入られると共に、吹出部２１１から吹き出す。これにより、吹出部２１１から吹き出した空気が被施術者の毛髪を乾かす。
【００４２】
以上の本実施形態に係る毛髪乾燥装置２によれば、押え板２２によって被施術者の毛髪が上面からも押さえ付けられるため、吹出部２１１から吹き出す空気によって毛髪が浮き上がることがない。そのため、毛髪を乾かす際、各種の施術を行った後の毛髪の仕上がり状態がよりしっかりと維持される。
【実施例３】
【００４３】
次に、本発明の第三の実施形態に係る毛髪乾燥装置３を図４に示す。毛髪乾燥装置３は、ハウジング３１の吹出部３１１の表面に、毛髪が宛がわれる領域を幅方向に並設された複数の領域に仕切る間仕切り片３１ａと、毛髪が吹出部３１１から外側へはみ出すのを防ぐ規制片３１ｂとが設けられた装置である。
この毛髪乾燥装置３は、本実施形態に独特なハウジング３１のほか、第一の実施形態に係る毛髪乾燥装置１と同様の構成からなる送風機１２、連結具１３、固定具１４によって構成される。
【００４４】
ハウジング３１には、吹出部３１１、連結部３１２、緩衝部（図示省略）が設けられている。このうち、連結部３１２及び緩衝部は夫々、第一の実施形態における連結部１１２及び緩衝部１１３と同様の構成からなる。
【００４５】
吹出部３１１は、第一の実施形態における吹出部１１１と同様、ハウジング３１の一面側全体を構成しており、空気の吹出孔がメッシュ状に複数、設けられている。
さらに本例では、吹出部３１１の表面に間仕切り片３１ａと規制片３１ｂが設けられている。
【００４６】
間仕切り片３１ａは、吹出部３１１の表面から突出した薄板状の部材であり、毛髪が宛がわれる吹出部３１１の表面を幅方向に並設された複数の領域に仕切っている。
これにより、被施術者の毛髪を乾燥させる際には、一定量の毛髪ごとに、別々の領域に分けて吹出部３１１上に宛がわれる。その結果、毛髪を乾かす際、髪同士が絡まるのを防ぐことができるし、髪同士が一定量ごとに離されるために早く乾かすことができる。
【００４７】
規制片３１ｂは、間仕切り片３１ａと同様、吹出部３１１の表面から突出した薄板状の部材であり、吹出部３１１の幅方向の両側端に設けられている。
この規制片３１ｂにより、毛髪が吹出部３１１の両側端から外側へはみ出すことが規制され、毛髪に乾燥ムラが生じたり、仕上がり形状が損なわれたりするのを防ぐことができる。
【００４８】
なお、間仕切り片３１ａ及び規制片３１ｂはいずれも、上述の吹出部１１１と同様、ステンレス等、パーマ等で用いられる薬剤に対する耐腐食性の高い材質によって構成するのが好適である。
【実施例４】
【００４９】
次に、本発明の第四の実施形態に係る毛髪乾燥装置４を図５に示す。毛髪乾燥装置４は、ハウジング４１の上端部が、被施術者の後頭部の毛髪の生え際に沿って略Ｕ字状に形成されている。
なお、この毛髪乾燥装置４は、本実施形態に独特なハウジング４１のほか、第一の実施形態に係る毛髪乾燥装置１と同様の構成からなる送風機１２（図示省略）、連結具１３、固定具１４によって構成される。
【００５０】
ハウジング４１には、吹出部４１１、連結部４１２、緩衝部４１３１、４１３２が設けられている。このうち、吹出部４１１及び連結部４１２は夫々、第一の実施形態における吹出部１１１及び連結部１１２と同様の構成からなる。
【００５１】
ハウジング４１の上端部は、被施術者の後頭部の毛髪の生え際に沿って略Ｕ字状に形成され、当該部分はＵ字状部４１４を構成する。
このＵ字状部４１４の一面側には、ハウジング４１の他の部分と同様、空気が吹き出す微小なサイズの吹出孔が複数、メッシュ状に設けられており、内部から空気が吹き出す。
また、本例におけるＵ字状部４１４は、僅かに被施術者の側に向かって折曲しており、略Ｕ字形状の先端が被施術者の耳の後ろ近傍に位置するようになっている。なお、他の例では、本例のようにＵ字状部４１４を折曲させなくてもよい。
【００５２】
緩衝部４１３１、４１３２は、第一の実施形態と同様、吹出部４１１とは反対側の面の四隅に突起して設けられた部分であり、ハウジング４１が直接、被施術者の後背部に当接するのを防いでいる。
【００５３】
一方、本例における緩衝部４１３１、４１３２は、上方に設けられた一対の緩衝部４１３１に比して、下方に設けられた一対の緩衝部４１３２のほうが長く構成されている。
これにより、被施術者の後背部に毛髪乾燥装置４のハウジング４１を配置し、固定具１４によってハウジング４１を被施術者の後背部に固定した際、ハウジング４１が傾斜した状態となる。その結果、被施術者の毛髪はハウジング４１上に載置された状態となり、被施術者の頭部から垂れ下がっている場合よりも乾燥時に揺れたり動いたりしにくく、施術後の状態を維持しやすい。
【００５４】
以上の本実施形態に係る毛髪乾燥装置４によれば、Ｕ字状部４１４によって、被施術者の後頭部近傍もしっかりと乾かすことができる。
また、毛髪乾燥装置４の使用時、緩衝部４１３１、４１３２によってハウジング４１が傾斜した状態となることで毛髪がハウジング４１上に載置され、その結果、毛髪の揺れ等を防ぎ、施術後の状態をより確実に維持して毛髪を乾かすことができる。
【実施例５】
【００５５】
次に、本発明の第五の実施形態に係る毛髪乾燥装置５を図６に示す。毛髪乾燥装置５は、ハウジング５１の長さを調整するための長さ調整機構を備えており、被施術者の毛髪の長さに応じてハウジング５１の長さを調整することができる。
なお、この毛髪乾燥装置５は、本実施形態に独特なハウジング５１のほか、第一の実施形態に係る毛髪乾燥装置１と同様の構成からなる送風機１２（図示省略）、連結具１３、固定具１４（図示省略）によって構成される。
【００５６】
ハウジング５１には、吹出部５１１、連結部５１２、緩衝部（図示省略）が設けられており、これらは夫々、第一の実施形態における吹出部１１１、連結部１１２、及び緩衝部１１３と同様の構成からなる。
【００５７】
一方、本実施形態におけるハウジング５１は、本体５１ａと延出部５１３によって構成される。
本体５１ａは、略直方体の箱型形状からなると共に、内部は中空であって、下端は開口している。
【００５８】
延出部５１３は、ハウジング５１の長さを調整するための長さ調整機構であり、ハウジング５１の下端部を構成する。この延出部５１ｂは、本体５１ａの下端の開口部から出入自在に延出する。
これにより、延出部５１ｂが本体５１ａ内に格納された状態では、ハウジング５１が相対的に短く構成され、相対的に短い髪型の被施術者の毛髪を乾かす場合に好適である。一方、延出部５１ｂを本体５１ａ内から延出させた状態では、ハウジング５１が相対的に長く構成され、相対的に長い髪型の被施術者の毛髪を乾かす場合に好適である。
【００５９】
以上の本実施形態に係る毛髪乾燥装置５によれば、被施術者の毛髪の長さに応じて、ハウジング５１の長さを調整することができる。その結果、例えば毛髪が短い場合に、毛髪のない位置においてまで空気を吹き出させてしまうなど、非効率的な作業を避けることができる。
【００６０】
なお、以上の本実施形態に係る毛髪乾燥装置１（他の実施形態も同様）における固定具１４は、被施術者にハウジング１１を担がせるようにしてハウジング１１の配置を固定した。一方、図７に示されるような他の例では、台車６に取り付けられた固定部６１にハウジング１１を取り付けて、ハウジング１１が適宜の位置に配置されるようにしてもよい。また、この場合において、固定部６１をスライド式に上下に伸縮するようしたり、車輪によって移動可能な台車６に高さ調節手段を設けたりすることにより、ハウジング１１の位置の微調整を行うことができるようにするとよい。
【００６１】
また、以上の本実施形態に係る毛髪乾燥装置１（他の実施形態も同様）において、図８に示されるように、ハウジング１１内に遠赤外線シート７を取り付けてもよい。これにより、被施術者の毛髪を短時間できれいに乾かすことができる。
【符号の説明】
【００６２】
１        毛髪乾燥装置
１１      ハウジング
１１１    吹出部
１１２    連結部
１１３    緩衝部
１２      送風機
１３      連結具
１４      固定具
２        毛髪乾燥装置
２１      ハウジング
２１ａ    係止爪
２１１    吹出部
２１２    連結部
２２      押え板
２２ａ    係止孔
３        毛髪乾燥装置
３１      ハウジング
３１ａ    間仕切り片
３１ｂ    規制片
３１１    吹出部
３１２    連結部
４        毛髪乾燥装置
４１１    吹出部
４１２    連結部
４１３１  緩衝部
４１３２  緩衝部
４１４    Ｕ字状部
５        毛髪乾燥装置
５１      ハウジング
５１ａ    本体
５１ｂ    延出部
５１１    吹出部
５１２    連結部
６        台車
６１      固定部
７        遠赤外線シート
【図１】
2017209133.tif 000003
【図２】
2017209133.tif 000004
【図３】
2017209133.tif 000005
【図４】
2017209133.tif 000006
【図５】
2017209133.tif 000007
【図６】
2017209133.tif 000008
【図７】
2017209133.tif 000009
【図８】
2017209133.tif 000010